(57)【要約】      （修正有）【課題】足踏みプロセス、上下揺動の幅及び回転揺動の角度が調節可能であるステッパーを提供する。【解決手段】ベース２００と、連動ロッド３００と、２つのペダル４００と、２つの調節装置５００と、を備える。各調節装置５００は、ペダルアーム４２０に設けられており、第１の当接面５１１を有するストッパ部品５１０と、ベース２００に設けられている調節台５２０と、回転軸により回転可能に調節台５２０に設けられ、ストッパ部品５１０の第１の当接面５１１に当接するための第２の当接面５５１を有する偏心ブロック５５０と、可動的に調節台５２０に設けられ、偏心ブロック５５０の回転角度又は設置位置を制限し調節するための調節部品と、を有する。これにより、調節装置５００によって調節ペダルプロセス及び揺動角度を調節することができる。【選択図】図２
0003201972.tif 000002
【実用新案登録請求の範囲】
【請求項１】
ベース、連動ロッド、ペダル部品とペダルアームとを有する２つのペダル、および、ストッパ部品と調節台と偏心ブロックとを有する２つの調節装置を備え、
前記連動ロッドは、前記ベースに設けられており、同軸回転可能な両端を有し、
前記ペダルアームは、前記ペダル部品に接続されており、且つ前記連動ロッドの一方の端部に枢転可能に設けられており、前記ペダル部品を往復昇降させ、
前記ストッパ部品は、前記ペダルアームに設けられており、第１の当接面を有し、
前記調節台は前記ベースに設けられており、
前記偏心ブロックは、それぞれ回転軸から異なる軸距で離れており、選択的に前記ストッパ部品の前記第１の当接面に当接することに用いられる少なくとも２つの第２の当接面を有し、前記回転軸により回転可能に前記調節台に設けられており、
一方の前記ペダルが重力方向に下がる場合、一方の前記第１の当接面と一方の前記第２の当接面とが前記重力方向に傾斜して前記連動ロッドの一方の端部を作動させ、前記連動ロッドの前記の他方の端部を同軸回転させ、他方の前記第１の当接面が他方の前記第２の当接面により押し当てられ、他方の前記ペダルが回転しながら上がることを特徴とするステッパー。
【請求項２】
前記第１の当接面は、円弧面であることを特徴とする請求項１に記載のステッパー。
【請求項３】
前記第１の当接面は、弾性材質で作られていることを特徴とする請求項１に記載のステッパー。
【請求項４】
前記偏心ブロックの前記第２の当接面の数は、３つであることを特徴とする請求項１に記載のステッパー。
【請求項５】
前記偏心ブロックの前記第２の当接面の数は、４つであることを特徴とする請求項１に記載のステッパー。
【請求項６】
前記ベースは、２つの前記調節台を設けるための中心部と、前記中心部から外へ垂直に延伸する延伸部と、それぞれ前記中心部の両端に接続されている２つの側部とを有し、２つの前記側部が「八」の字状に並列配置されており、
前記連動ロッドは、円心部を更に有し、前記円心部が、前記連動ロッドの中央に位置し、枢軸によって前記延伸部の外端に枢転可能に接続されており、前記連動ロッドを枢転可能にし、
２つの前記ペダルは、枢転部を有し、
前記枢転部は、前記ペダルアームに一体に接続されており、且つ前記連動ロッドの両端に枢転可能に接続されており、前記ペダルアームが前記連動ロッドに対して枢転可能となるようにすることを特徴とする請求項１に記載のステッパー。
【請求項７】
ベース、連動ロッド、ペダル部品とペダルアームとを有する２つのペダル、および、ストッパ部品と調節台と偏心ブロックと調節部品とを有する２つの調節装置を備え、
前記連動ロッドは、前記ベースに設けられており、同軸回転可能な二つの端部を有し、
前記ペダルアームは、前記ペダル部品に接続されており、且つ前記連動ロッドの一方の端部に枢転可能に設けられており、前記ペダル部品を往復昇降させ、
前記ストッパ部品は、前記ペダルアームに設けられており、第１の当接面を有し、
前記調節台は、前記ベースに設けられており、
前記偏心ブロックは、前記ストッパ部品の前記第１の当接面に当接するための第２の当接面を有し、回転軸により回転可能に前記調節台に設けられており、
前記調節部品は、可動的に前記調節台に設けられており、前記偏心ブロックの回転角度又は設置位置を制限且つ調節可能であり、
一方の前記ペダルが重力方向に下がる場合、一方の前記第１の当接面と一方の前記第２の当接面とが前記重力方向に傾斜して前記連動ロッドの一方の端部を作動させ、前記連動ロッドの他方の端部を同軸回転させ、他方の前記第１の当接面が他方の前記第２の当接面により押し当てられ、他方の前記ペダルが揺動しながら上がることを特徴とするステッパー。
【請求項８】
各前記調節部品は、それぞれプラグであることを特徴とする請求項７に記載のステッパー。
【請求項９】
各前記調節部品は、それぞれボルトであることを特徴とする請求項７に記載のステッパー。
【請求項１０】
各前記調節台は、前記偏心ブロックが枢転可能に設けられている複数の調節孔を有することを特徴とする請求項７に記載のステッパー。
【請求項１１】
各前記調節装置は、複数の固定孔を有する調節シートと、複数のネジと、をさらに有し、
複数の前記ネジは、前記調節孔に穿設されており、前記固定孔に位置決められており、
前記調節部品は、選択的に２つの前記固定孔及び２つの前記調節孔に穿設されており、前記調節シートに合わせ、前記偏心ブロックを調節することを特徴とする請求項１０に記載のステッパー。
【請求項１２】
各前記調節装置は、複数のネジをさらに有し、
前記調節部品は、一つの前記調節孔に設けられており、２つの前記調節孔が長孔状となり、
前記偏心ブロックは、前記偏心ブロックに開設されており前記調節部品に対応しかつ円弧形である穿設溝と、前記偏心ブロックを前記調節台に枢転可能に設けるのに用いられ且つ前記調節部品に対応し前記調節部品を係合するためのネジ係合孔が側方向に開設されている穿設軸と、を更に有し、
複数の前記ネジは、前記偏心ブロックの両端に係合されており、摺動可能に長孔状である２つの前記調節孔に位置制限されていることを特徴とする請求項１０に記載のステッパー。
【請求項１３】
各前記調節装置は、調節シートおよび複数のネジをさらに有し、
前記調節シートは、複数の固定孔を有し、２つの前記固定孔が長孔状であり、
複数の前記ネジは、前記調節孔に穿設し前記固定孔に位置決められており、１つが前記偏心ブロックの両端に係合されており、摺動可能に長孔状である２つの前記固定孔に位置制限されており、
前記偏心ブロックは、前記偏心ブロックに開設されており前記調節部品に対応しかつ円弧形である穿設溝と、前記回転軸として前記偏心ブロックを前記調節シートに枢転可能に設けるのに用いられ且つ前記調節部品に対応し前記調節部品を係合するためのネジ係合孔が側方向に開設されている穿設軸と、を更に有し、
前記調節部品は、調節ヘッド、押し当てヘッド、および、固定管を有し、前記調節ヘッドが前記固定管を介して前記押し当てヘッドに回転可能に接続されており前記押し当てヘッドを伸縮させ、前記押し当てヘッドが前記偏心ブロックの前記穿設溝に穿設されており前記穿設軸の前記ネジ係合孔に係合されており、前記固定管が長孔状の２つの前記固定孔に対応しており前記ネジの穿設に用いられることを特徴とする請求項１０に記載のステッパー。
【請求項１４】
前記第１の当接面は、円弧面であることを特徴とする請求項７に記載のステッパー。
【請求項１５】
前記第１の当接面は、弾性材質で作られていることを特徴とする請求項７に記載のステッパー。
【考案の詳細な説明】
【技術分野】
【０００１】
本考案は、ステッパーに関し、特に、ペダルのプロセス及び揺動角度が調節可能なステッパーに関する。
【背景技術】
【０００２】
作業形態の変更につれて、人々が殆ど屋内で静的に働くようになり、肉体労働を必要とする仕事が大体自動機械により取って代わられた。このため、時間の経つにつれて、体の筋肉が運動不足になるだけでなく、健康にも悪影響を与えた。
【０００３】
これに鑑みて、人々が随時随所に便利に時間をかけて運動可能な屋内フィットネス機器は世間に多く現われてきた。その内、ステッパーは、上下交互に往復して揺動するペダルによって、山登り又は階段登りの作動形態を模倣できるので、人々が両足の筋肉を鍛えて、健康及びフィットネスの目的を達成することができる。
【０００４】
しかしながら、従来のステッパーの連動装置は、構造が複雑だけではなく、左右のペダルの作動経路が全て固定され、足踏みのプロセスも回転揺動の角度も調節不可能であるため、異なる使用者のニーズに応じて変動することができない。
【考案の概要】
【考案が解決しようとする課題】
【０００５】
本考案の目的は、従来のステッパーの足踏みプロセス、上下揺動の幅及び回転揺動の角度が調節できない欠点を改善し、異なる使用者のニーズに応じて、足踏みプロセス、上下揺動の幅及び回転揺動の角度が調節可能であるステッパーを提供することにある。
【課題を解決するための手段】
【０００６】
本考案の一態様によるステッパーは、ベース、連動ロッド、ペダル部品とペダルアームとを有する２つのペダル、および、ストッパ部品と調節台と偏心ブロックとを有する２つの調節装置を備える。連動ロッドは、ベースに枢転可能に設けられており、同軸回転可能な両端を有する。ペダルアームは、ペダル部品に接続されており、且つ連動ロッドの一方の端部に枢転可能に設けられており、ペダル部品を往復昇降させる。ストッパ部品は、ペダルアームに設けられており、第１の当接面を有する。調節台はベースに設けられている。偏心ブロックは、回転軸から異なる軸距で離れており、選択的にストッパ部品の第１の当接面に当接することに用いられる少なくとも２つの第２の当接面を有し、回転軸により回転可能に調節台に設けられている。一方のペダルが重力方向に下がる場合、一方の第１の当接面と一方の第２の当接面とが重力方向に傾斜して連動ロッドの一方の端部を作動させ、連動ロッドの他方の端部を同軸回転させ、他方の第１の当接面が他方の第２の当接面により押し当てられ、他方のペダルが回転しながら上がる。
【０００７】
本考案の一態様の一例によると、第１の当接面は、円弧面であってもよく、且つ弾性材質で作られてもよい。偏心ブロックの第２の当接面の数は、３つ又は４つであってもよい。ステッパーにおいて、ベースは、２つの調節台を設けるための中心部と、中心部から外へ垂直に延伸する延伸部と、それぞれ中心部の両端に接続され、「八」の形に並列配置される２つの側部と、を含む。連動ロッドは、連動ロッドの中央に位置し、且つ枢軸によって延伸部の外端に枢転可能に接続されており、連動ロッドを枢転可能にする円心部を更に含む。２つのペダルは、各ペダルアームが連動ロッドに対して枢転可能となるように、ペダルアームに一体的に接続されており、且つそれぞれ連動ロッドの両端に枢転可能に接続されている枢転部を含む。
【０００８】
本考案の別の態様によるステッパーは、ベース、連動ロッド、ペダル部品とペダルアームとを有する２つのペダル、および、ストッパ部品と調節台と偏心ブロックと調節部品とを有する２つの調節装置を備える。連動ロッドは、ベースに枢転可能に設けられており、同軸回転可能な二つの端部を有する。ペダルアームは、ペダル部品に接続されており、且つ連動ロッドの一方の端部に枢転可能に設けられており、ペダル部品を往復昇降させる。ストッパ部品は、ペダルアームに設けられており、第１の当接面を有する。調節台はベースに設けられている。偏心ブロックは、ストッパ部品の第１の当接面に当接するための第２の当接面を有し、回転軸により回転可能に調節台に設けられている。調節部品は、可動的に調節台に設けられており、偏心ブロックの回転角度又は設置位置を制限かつ調節可能である。一方のペダルが重力方向に下がる場合、一方の第１の当接面と一方の第２の当接面とが重力方向に傾斜して連動ロッドの一方の端部を作動させ、連動ロッドの他方の端部を同軸回転させ、他方の第１の当接面が他方の第２の当接面により押し当てられ、他方のペダルが揺動しながら上がる。
【０００９】
本考案の別の態様の一例によると、各調節部品は、それぞれプラグ又はボルトであってもよい。各調節台は、偏心ブロックが枢転可能に設けられている複数の調節孔を有する。
【００１０】
本考案の別の態様の別の例によると、各調節装置は、複数の固定孔を有する調節シートと、複数のネジと、をさらに有する。複数のネジは、それぞれ調節孔に穿設されており、固定孔に位置決められている。調節部品は、選択的に２つの固定孔及び２つの調節孔に穿設されており、調節シートに合わせ、偏心ブロックを調節する。
【００１１】
本考案の一態様の更なる他の例によると、調節装置は複数のネジをさらに有する。調節部品は、一つの調節孔に設けられており、二つの調節孔が長孔状である。偏心ブロックは、偏心ブロックに開設されており調節部品に対応しかつ円弧形である穿設溝と、回転軸として偏心ブロックを調節台に枢転可能に設けるのに用いられ、且つ調節部品に対応し調節部品を係合するためのネジ係合孔が側方に開設されている穿設軸と、を更に有する。複数の前記ネジは、偏心ブロックの両端に係合されており、摺動可能に長孔状である２つの調節孔に位置制限されている。
【００１２】
本考案の一態様の更なる１つの例によると、各調節装置は、調節シートおよび複数のネジをさらに有する。調節シートは、複数の固定孔を有し、２つの固定孔が長孔状である。複数のネジは、調節孔に穿設し固定孔に位置決められており、その中の１つが偏心ブロックの両端に係合されており、摺動可能に長孔状である２つの固定孔に位置制限されている。偏心ブロックは、偏心ブロックに開設されており調節部品に対応しかつ円弧形である穿設溝と、回転軸として偏心ブロックを調節シートに枢転可能に設けるのに用いられ、且つ調節部品に対応し調節部品を係合するためのネジ係合孔が側方向に開設されている穿設軸と、を更に有する。調節部品は、調節ヘッド、押し当てヘッド、および、固定管を有する。調節ヘッドは、固定管を介して押し当てヘッドに回転可能に接続されており押し当てヘッドを伸縮させる。押し当てヘッドは、偏心ブロックの穿設溝に穿設されており穿設軸のネジ係合孔に係合されている。固定管は、長孔状の２つの固定孔に対応しておりネジの穿設に用いられる。第１の当接面は、円弧面であってもよく、且つ弾性材質で作られてもよい。
【００１３】
従って、前述の態様によるステッパーは、連動ロッドと調節装置との組み合わせによって、一方のペダルが重力方向に下がる場合、一方の第１の当接面が一方の第２の当接面に当接して重力方向に傾斜し、連動ロッドの両端部が同軸回転するとともに、他方の第２の当接面が傾斜し、他方の第１の当接面に押し当て、他方のペダルが回転しながら上がるように作動する。また、調節装置の調節部品は、可動的に選択的に何れの調節孔に穿設可能であり、調節部品が偏心ブロックに当接する送り長さを変え、ペダルの揺動角度及びペダルプロセスを調節することに用いられる。
【図面の簡単な説明】
【００１４】
【図１】本考案の一実施形態に係るステッパーを示す模式的な斜視図である。
【図２】図１に示すステッパーを示す模式的な分解図である。
【図３】偏心ブロックを示す模式的な側面図である。
【図４Ａ】図３に示す第２の当接面と回転軸との距離が第１の軸距である様子を示す模式図である。
【図４Ｂ】図３に示す第２の当接面と回転軸との距離が第２の軸距である様子を示す模式図である。
【図４Ｃ】図３に示す第２の当接面と回転軸との距離が第３の軸距である様子を示す模式図である。
【図４Ｄ】図３に示す第２の当接面と回転軸との距離が第４の軸距である様子を示す模式図である。
【図５Ａ】図４Ａに示すステッパーの操作を示す模式図である。
【図５Ｂ】図４Ｂに示すステッパーの操作を示す模式図である。
【図５Ｃ】図４Ｃに示すステッパーの操作を示す模式図である。
【図５Ｄ】図４Ｄに示すステッパーの操作を示す模式図である。
【図６Ａ】偏心ブロックが３つの第２の当接面を有する様子を示す模式図である。
【図６Ｂ】偏心ブロックが５つの第２の当接面を有する様子を示す模式図である。
【図６Ｃ】偏心ブロックが６つの第２の当接面を有する様子を示す模式図である。
【図７】本考案の一実施形態に係るステッパーを示す模式的な斜視図である。
【図８】図７に示すステッパーを示す模式的な分解図である。
【図９】図８に示すステッパーを示す模式的な側面図である。
【図１０Ａ】図８に示すステッパーの動作を示す模式図である。
【図１０Ｂ】図１０Ａに示すステッパーの一側の動作を示す模式図である。
【図１０Ｃ】図１０Ａに示すステッパーの他側の動作を示す模式図である。
【図１１Ａ】本考案の別の実施形態に係るステッパーを示す模式的な斜視図である。
【図１１Ｂ】図１１Ａに示すステッパーを示す模式的な側面図である。
【図１２Ａ】本考案の更に１つの実施形態に係るステッパーを示す模式的な斜視図である。
【図１２Ｂ】図１２Ａに示すステッパーを示す模式的な側面図である。
【図１３】本考案の更に他の実施形態に係るステッパーを示す模式的な斜視図である。
【図１４】図１３に示すステッパーを示す模式的な分解図である。
【図１５】図１４に示すステッパーを示す模式的な側面図である。
【図１６Ａ】本考案の別の実施形態に係るステッパーを示す模式的な斜視図である。
【図１６Ｂ】図１６Ａのステッパーを示す模式的な側面図である。
【図１７Ａ】本考案の更に１つの実施形態に係るステッパーを示す模式的な斜視図である。
【図１７Ｂ】図１７Ａに示すステッパーを示す模式的な側面図である。
【考案を実施するための形態】
【００１５】
（実施形態）
図面に基づいて、本考案の上記及び他の目的、特徴、メリット及び実施形態を詳しく説明する。
図１、図２及び図３を合わせて参照されたい。それらは、それぞれ本考案の一実施形態に係るステッパーを示す模式的な斜視図、分解図及び側面図である。ステッパー１００は、ベース２００、連動ロッド３００、２つのペダル４００、２つの調節装置５００及び２つの復帰装置６００を含む。
【００１６】
ベース２００は、安定的に水平面に置かれる。ベース２００は、中心部２１０と、中心部２１０から外へ垂直に延伸する延伸部２２０と、それぞれ中心部２１０の両端に接続され、「八」の形に並列配置され、内部が中空となる２つの側部２３０と、を含む。
【００１７】
連動ロッド３００は、ベース２００に枢転可能に設けられており、同軸回転可能な両端部３１０と、連動ロッド３００中央に位置し、連動ロッド３００がベース２００に対して枢転可能にするように、枢軸３３０によって延伸部２２０の外端に枢転可能に接続される円心部３２０と、を有する。
【００１８】
各ペダル４００は、踏むためのペダル部品４１０と、ペダル部品４１０に接続されるＬ形のペダルアーム４２０と、ペダルアーム４２０に一体的に接続され、且つそれぞれ各ペダルアーム４２０が連動ロッド３００に対して枢転可能にペダル部品４１０を往復昇降させるように、連動ロッド３００の両端部３１０に枢転可能に接続される枢転部４３０と、を含む。
【００１９】
各調節装置５００は、ストッパ部品５１０、調節台５２０及び偏心ブロック５５０を含む。２つのストッパ部品５１０は、それぞれ２つのペダルアーム４２０に設けられ、ストッパ部品５１０は、第１の当接面５１１を有する。本実施形態における第１の当接面５１１は、円弧面であってもよく、且つ弾性材質で作られてもよい。調節台５２０は、ベース２００の中心部２１０に設けられる。２つの偏心ブロック５５０は、それぞれ回転軸Ｃに対して回転可能に調節台５２０に設けられ、且つ、ストッパ部品５１０の第１の当接面５１１に当接する少なくとも２つの第２の当接面５５１を有する。本実施形態の偏心ブロック５５０は、４つの第２の当接面５５１を有する。
【００２０】
各復帰装置６００は、それぞれ連動ロッド３００の両端部３１０及びベース２００に接続されるように、２つの側部２３０の内部に設けられる。本実施形態において、復帰装置６００は、連結ロッド６１０及び引張バネ６２０からなる。連結ロッド６１０は、一端が連動ロッド３００の一方の端部３１０に接続され、他端が引張バネ６２０に接続される。本実施形態は、連結ロッド６１０及び引張バネ６２０に限定されなく、スチールケーブル、圧縮バネ、空気圧シリンダー又は油圧シリンダーを選択して復帰力を提供してもよい。
【００２１】
使用者は、下方へペダル４００を踏む場合、このペダル４００に設けられるストッパ部品５１０の第１の当接面５１１が偏心ブロック５５０の何れの第２の当接面５５１によって当接されて、連動ロッド３００の両端部３１０を同軸回転させるとともに、別の偏心ブロック５５０の第２の当接面５５１が傾斜して別のストッパ部品５１０の第１の当接面５１１に押し当て、別のペダル４００を上げる。従って、連動ロッド３００の同軸回転、ストッパ部品５１０及び偏心ブロック５５０の当接設置により、左右のペダル４００の上下揺動の動作を可能にする。
【００２２】
より具体的には、偏心ブロック５５０における異なる軸距に対応する第２の当接面５５１を選択する場合、更に調節ペダル４００のペダルプロセス及び揺動幅角度の調節に用いられる。図２、図４Ａ〜図４Ｄ及び図５Ａ〜図５Ｄを参照されたい。図４Ａは、図３に示す第２の当接面５５１と回転軸Ｃとの距離が第１の軸距ｄ１である模式図を示す。図４Ｂは、図３に示す第２の当接面５５１と回転軸Ｃとの距離が第２の軸距ｄ２である模式図を示す。図４Ｃは、図３に示す第２の当接面５５１と回転軸Ｃとの距離が第３の軸距ｄ３である模式図を示す。図４Ｄは、図３に示す第２の当接面５５１と回転軸Ｃとの距離が第４の軸距ｄ４つである模式図を示す。図５Ａは、図４Ａに示すステッパー１００に対応する操作を示す模式図である。図５Ｂは、図４Ｂに示すステッパー１００に対応する操作を示す模式図である。図５Ｃは、図４Ｃに示すステッパー１００に対応する操作を示す模式図である。図５Ｄは、図４Ｄに示すステッパー１００に対応する操作を示す模式図である。便利に説明するために、図４Ａ〜図４Ｄ及び図５Ａ〜図５Ｄは、ペダル部品が図示されない。
【００２３】
本実施形態における第２の当接面５５１の数が４つであり、且つ各第２の当接面５５１から回転軸Ｃまでの軸距がそれぞれ第１の軸距ｄ１、第２の軸距ｄ２、第３の軸距ｄ３及び第４の軸距ｄ４つであり、且つ第１の軸距ｄ１の距離が一番短く、この順に逓増し、第４の軸距ｄ４の距離が一番長い。ステッパー１００が作動する場合、第１の軸距ｄ１、第２の軸距ｄ２、第３の軸距ｄ３及び第４の軸距ｄ４の距離が異なるため、ペダルアーム４２０が作動する時のプロセスが異なることが見られる。例を挙げれば、第１の軸距ｄ１が第４の軸距ｄ４よりも小さいため、図５Ａにおけるペダルアーム４２０のプロセスが一番小さく、これに対して、図５Ｄにおけるペダルアーム４２０のプロセスが一番大きい。
【００２４】
また図６Ａ〜図６Ｃを参照されたい。それらは、それぞれ前記の偏心ブロック５５０が３つの第２の当接面５５１、５つの第２の当接面５５１及び６つの第２の当接面５５１を有する模式図を示す。これによれば、本考案のステッパー１００は偏心ブロック５５０の第２の当接面５５１の数を変更でき、これによりそのペダルプロセスの調節程度を変更できることが分かる。実際的に、第２の当接面５５１と回転軸Ｃとの軸距が変わる場合、ペダル４００のペダルプロセスが変わるだけでなく、その左右の揺動角度もそれに伴って変わる。
【００２５】
図７、図８及び図９をあわせて参照されたい。それらは、それぞれ本考案の一実施形態に係るステッパー１００を示す模式的な斜視図、分解図及び側面図である。ステッパー１００は、ベース２００、連動ロッド３００、２つのペダル４００及び２つの調節装置５００を含む。以下の実施形態は、何れも前記の復帰装置の図面及び説明を略する。
【００２６】
ベース２００は、安定的に水平面に置かれる。
【００２７】
連動ロッド３００は、ベース２００に枢転可能に設けられており、同軸回転可能な両端部３１０を有する。
【００２８】
各ペダル４００は、踏むためのペダル部品４１０と、ペダル部品４１０に接続されるＬ形のペダルアーム４２０と、ペダルアーム４２０に一体的に接続され、且つそれぞれ各ペダルアーム４２０が連動ロッド３００に対して枢転可能にペダル部品４１０を往復昇降させるように、連動ロッド３００の両端部３１０に枢転可能に接続されている枢転部４３０と、を含む。
【００２９】
各調節装置５００は、ストッパ部品５１０、調節台５２０、調節シート５３０、調節部品５４０、偏心ブロック５５０及び２つのネジ５６０を含む。ストッパ部品５１０は、ペダルアーム４２０に設けられ、第１の当接面５１１を有する。本実施形態における第１の当接面５１１は、円弧面であってもよく、且つ弾性材質で作られてもよい。調節台５２０は、ベース２００に設けられ、複数の調節孔５２１を有する。調節シート５３０は、複数の固定孔５３１を有する。調節部品５４０は、可動的に調節台５２０の調節孔５２１及び調節シート５３０の固定孔５３１に設けられる。偏心ブロック５５０は、調節部品５４０、固定孔５３１及び調節孔５２１によって調節可能に調節台５２０に設けられ、ストッパ部品５１０の第１の当接面５１１に当接するための第２の当接面５５１を有する。２つのネジ５６０は、２つの固定孔５３１及び２つの調節孔５２１に穿設されるようにそれぞれ偏心ブロック５５０及び調節シート５３０に係合させる。本実施形態において、調節部品５４０は、プラグ又はボルトであってもよく、調節孔５２１及び固定孔５３１の位置、数及び対応するネジ５６０は、使用者のニーズに応じて変更され、図面に限定されない。
【００３０】
以下、図８、図１０Ａ、図１０Ｂ及び図１０Ｃを参照されたい。図１０Ａ、図１０Ｂ及び図１０Ｃによってステッパー１００の動作を示す模式図を説明する。図１０Ａは、図８に示すステッパー１００の動作を示す模式図であり、図１０Ｂ及び図１０Ｃは、図１０Ａに示すステッパー１００の両側の動作を示す模式図である。まず、調節部品５４０を選択的に２つの調節孔５２１及び２つの固定孔５３１を穿設して、異なる調節孔５２１及び異なる固定孔５３１により調節シート５３０の傾斜角度及び偏心ブロック５５０の角度が異なるようになり、これにより、ペダル４００の足踏みプロセス及び揺動角度を調節することができる。更に具体的に、ペダル４００が重力方向ｇに下がる場合、このペダル４００に設けられるストッパ部品５１０の第１の当接面５１１と偏心ブロック５５０の第２の当接面５５１とが重力方向ｇに傾斜し、連動ロッド３００の両端部３１０を同軸回転させるとともに、別の偏心ブロック５５０の第２の当接面５５１が傾斜して別のストッパ部品５１０の第１の当接面５１１に押し当て、別のペダル４００を上げる。従って、連動ロッド３００の同軸回転、偏心ブロック５５０及びストッパ部品５１０の当接設置により、左右のペダル４００が上下及び左右に揺動する動作を可能にする。
【００３１】
注意すべきなのは、連動ロッド３００の枢転により、各ペダル４００が偏心ブロック５５０及びストッパ部品５１０からの異なる制限を受け、上下揺動だけでなく、同時に左右に揺動するように連動してもよい。且つ、調節部品５４０を異なる調節孔５２１及び異なる固定孔５３１を穿設することにより、偏心ブロック５５０がストッパ部品５１０に当接する角度を調節でき、ペダル４００の足踏みプロセス及び揺動角度を調節できて、当業者の何れも必要の足踏みプロセス及び揺動角度に応じて調節台５２０、調節シート５３０、調節部品５４０、偏心ブロック５５０及びネジ５６０の設置を変更することができる。
【００３２】
図１１Ａ及び図１１Ｂをあわせて参照されたい。それらは、それぞれ本考案の別の実施形態のステッパー１００を示す模式的な斜視図及び側面図である。便利に説明するために、図１１Ａ及び図１１Ｂは、ペダル部品が図示されない。図１１Ａ及び図１１Ｂに示すような、本実施形態における調節装置５００は、図８中の調節シート５３０を略して、調節部品５４０をそのまま調節台５２０の調節孔５２１及び偏心ブロック５５０に穿設して、調節孔５２１が高さで並べられるため、異なる調節孔５２１が偏心ブロック５５０の高さ設置位置を調節でき、偏心ブロック５５０の第２の当接面５５１がストッパ部品５１０の第１の当接面５１１に当接する時の高さを変えると、ペダルアーム４２０のペダルプロセス及び揺動角度がそれに伴って変わる。
【００３３】
図１２Ａ及び図１２Ｂをあわせて参照されたい。それらは、それぞれ本考案の更に１つの実施形態に係るステッパー１００を示す模式的な斜視図及び側面図である。便利に説明するために、図１２Ａ及び図１２Ｂは、ペダル部品が図示されない。図１２Ａ及び図１２Ｂに示すように、本実施形態における調節装置５００は、図８における調節シート５３０を略して、調節部品５４０をそのまま調節台５２０の調節孔５２１及び偏心ブロック５５０に穿設して、調節孔５２１が水平に並べられるため、異なる調節孔５２１により偏心ブロック５５０の水平設置位置を調節することができ、第２の当接面５５１がストッパ部品５１０の第１の当接面５１１に当接する距離を変えると、ペダルアーム４２０のペダルプロセス及び揺動角度がそれに伴って変わる。
【００３４】
図１３、図１４及び図１５をあわせて参照されたい。それらは、それぞれ本考案の更に他の実施形態に係るステッパー１００ａを示す模式的な斜視図、分解図及び側面図である。その内、図１５は、ペダル部品が図示されない。本実施形態は、調節装置５００ａの設置のみを変更し、ベース２００ａ、連動ロッド３００ａ及び２つのペダル４００ａの設置が前記の実施形態と同じである。
【００３５】
調節装置５００ａは、ストッパ部品５１０ａ、調節台５２０ａ、調節シート５３０ａ、調節部品５４０ａ、偏心ブロック５５０ａ及び３つのネジ５６０ａを含む。注意すべきなのは、本実施形態において、調節シート５３０ａの２つの固定孔５３１は、長孔状となる。調節部品５４０ａは、調節ヘッド５４１ａ、固定管５４２ａ及び押し当てヘッド５４３ａを含み、調節ヘッド５４１ａが回転可能に固定管５４２ａを介して押し当てヘッド５４３ａに接続し、押し当てヘッド５４３ａが偏心ブロック５５０ａを押し当てる。且つ偏心ブロック５５０ａは、調節部品５４０ａに対応して円弧形で偏心ブロック５５０ａに開設される穿設溝５５２ａと、偏心ブロック５５０ａが調節台５２０ａに枢転可能に設けるようにし、且つ調節部品５４０ａの押し当てヘッド５４３ａに対応して側方向に押し当てヘッド５４３ａを係合するためのネジ係合孔５５４ａが開設される穿設軸５５３ａと、を更に有する。その内、２つのネジ５６０ａにより固定孔５３１ａを貫通し、偏心ブロック５５０ａの穿設軸５５３ａに係合され、２つのネジ５６０ａにより調節孔５２１ａ及び長孔状の両固定孔５３１ａを穿設し固定管５４２ａの両端に係合される。長孔状の両固定孔５３１ａがネジ５６０ａによって調節孔５２１ａに位置制限されるため、調節シート５３０ａの別の２つの固定孔５３１ａが別のネジ５６０ａに合わせて偏心ブロック５５０ａに係合させて揺動角度が偏移可能な構造を形成する。従って、調節ヘッド５４１ａが回転しながら穿設軸５５３ａのネジ係合孔５５４ａに送られる場合、長孔状の固定孔５３１ａ及び円弧形の穿設溝５５２ａを組み合わせる時、偏心ブロック５５０ａの回転角度を変更するだけでなく、同時に偏心ブロック５５０ａの位置を変更することができ、偏心ブロック５５０ａの第２の当接面５５１ａとストッパ部品５１０ａの第１の当接面５１１ａの傾斜角度を変更することにより、ペダル４００ａのペダルプロセス及び揺動角度がそれに伴って変わる。
【００３６】
図１６Ａ及び図１６Ｂをあわせて参照されたい。それらは、それぞれ本考案の別の実施形態に係るステッパー１００ａを示す模式的な斜視図及び側面図である。便利に説明するために、図１６Ａ及び図１６Ｂは、ペダル部品が図示されない。図１６Ａ及び図１６Ｂに示すように、本実施形態における調節装置５００ａは、図１４における調節シート５３０ａを略し、且つ調節部品５４０ａが一体的接続の設計である。調節部品５４０ａをそのまま斜上方に調節台５２０ａに穿設して、２つの調節孔５２１ａが調節部品５４０ａの前進方向に沿う長型開孔であるため、長型開孔の調節孔５２１ａにより偏心ブロック５５０ａの高さ設置位置を調節でき、また、偏心ブロック５５０ａの第２の当接面５５１ａとストッパ部品５１０ａの第１の当接面５１１ａとの傾斜角度を変更することにより、ペダルアーム４２０ａのペダルプロセス及び揺動角度がそれに伴って変わる。
【００３７】
図１７Ａ及び図１７Ｂをあわせて参照されたい。それらは、それぞれ本考案の更に１つの実施形態に係るステッパー１００ａを示す模式的な斜視図及び側面図である。便利に説明するために、図１７Ａ及び図１７Ｂは、ペダル部品が図示されない。図１７Ａ及び図１７Ｂに示すように、本実施形態における調節装置５００ａは、図１４における調節シート５３０ａを略し、且つ調節部品５４０ａが一体的接続の設計である。調節部品５４０ａをそのまま水平に調節台５２０ａに穿設して、２つの調節孔５２１ａが水平に延伸する孔であるため、水平に延伸する調節孔５２１ａにより偏心ブロック５５０ａの水平設置位置を調節でき、また、偏心ブロック５５０ａの第２の当接面５５１ａとストッパ部品５１０ａの第１の当接面５１１ａとの傾斜角度を変更することにより、ペダルアーム４２０ａのペダルプロセス及び揺動角度がそれに伴って変わる。
【００３８】
本考案のステッパーは、以下のメリットを有する。
【００３９】
１．ステッパーの連動ロッド及び調節装置は、簡単な構造で往復昇降の足踏み機能を達成することができる。
【００４０】
２．ペダルの上下揺動にとって、本考案の調節装置及び連動ロッド構造は、従来のステッパーがレバー又はＶ形の揺動の連動装置よりも一層安定になる。
【００４１】
３．調節装置における偏心ブロック及びストッパ部品が重力方向に傾斜する構造及び連動ロッドの組み合わせによって、ペダルを上下揺動にし、更にペダルが左右に揺動するように連動する。
【００４２】
４．使用者に必要なペダルプロセス及び揺動幅に応じて、自由に偏心ブロックの第２の当接面を選択して、対応する軸距でステッパーの足踏みプロセス及び揺動角度を調節することができる。
【００４３】
５．使用者に必要なペダルプロセス及び揺動幅に応じて、自由に調節装置の設置を変更し、調節部品、調節台、調節シート及びネジの互いの関係によって偏心ブロックの回転角度又は設置位置を調節して、第２の当接面とストッパ部品の第１の当接面との傾斜角度又は位置を変更し、これにより異なる使用者の鍛錬の需要に適応する。
【００４４】
本考案を実施形態で前述の通り開示したが、これは本考案を限定するためのものではなく、当業者であれば、本考案の精神と範囲から逸脱しない限り、各種の変更や修正を加えることができる。従って、本考案の保護範囲は、実用新案登録請求の範囲で指定した内容を基準とするものである。
【符号の説明】
【００４５】
１００、１００ａ  ステッパー、
２００、２００ａ  ベース、
２１０  中心部、
２２０  延伸部、
２３０  側部、
３００、３００ａ  連動ロッド、
３１０  端部、
３２０  円心部、
３３０  枢軸、
４００、４００ａ  ペダル、
４１０、４１０ａ  ペダル部品、
４２０、４２０ａ  ペダルアーム、
４３０、４３０ａ  枢転部、
５００、５００ａ  調節装置、
５１０、５１０ａ  ストッパ部品、
５１１、５１１ａ  第１の当接面、
５２０、５２０ａ  調節台、
５２１、５２１ａ  調節孔、
５３０、５３０ａ  調節シート、
５３１、５３１ａ  固定孔、
５４０、５４０ａ  調節部品、
５４１ａ  調節ヘッド、
５４２ａ  固定管、
５４３ａ  押し当てヘッド、
５５０、５５０ａ  偏心ブロック、
５５１、５５１ａ  第２の当接面、
５５２ａ  穿設溝、
５５３ａ  穿設軸、
５５４ａ  ネジ係合孔、
５６０、５６０ａ  ネジ、
ｇ  重力方向、
Ｃ  回転軸、
ｄ１  第１の軸距、
ｄ２  第２の軸距、
ｄ３  第３の軸距、
ｄ４  第４の軸距。
【図１】
0003201972.tif 000003
【図２】
0003201972.tif 000004
【図３】
0003201972.tif 000005
【図４Ａ】
0003201972.tif 000006
【図４Ｂ】
0003201972.tif 000007
【図４Ｃ】
0003201972.tif 000008
【図４Ｄ】
0003201972.tif 000009
【図５Ａ】
0003201972.tif 000010
【図５Ｂ】
0003201972.tif 000011
【図５Ｃ】
0003201972.tif 000012
【図５Ｄ】
0003201972.tif 000013
【図６Ａ】
0003201972.tif 000014
【図６Ｂ】
0003201972.tif 000015
【図６Ｃ】
0003201972.tif 000016
【図７】
0003201972.tif 000017
【図８】
0003201972.tif 000018
【図９】
0003201972.tif 000019
【図１０Ａ】
0003201972.tif 000020
【図１０Ｂ】
0003201972.tif 000021
【図１０Ｃ】
0003201972.tif 000022
【図１１Ａ】
0003201972.tif 000023
【図１１Ｂ】
0003201972.tif 000024
【図１２Ａ】
0003201972.tif 000025
【図１２Ｂ】
0003201972.tif 000026
【図１３】
0003201972.tif 000027
【図１４】
0003201972.tif 000028
【図１５】
0003201972.tif 000029
【図１６Ａ】
0003201972.tif 000030
【図１６Ｂ】
0003201972.tif 000031
【図１７Ａ】
0003201972.tif 000032
【図１７Ｂ】
0003201972.tif 000033